(57)【要約】【課題】データ閲覧時のセキュリティを向上すること。【解決手段】ユーザの権限の高低を検出し、権限が低い場合には、表示対象であるページ画像データの細部を隠して表示する表示モードを選択するようにしたため（ステップＳ４〜Ｓ８）、例えば、ユーザにアクセス権がある場合に常にページ画像データ全体を表示する方法に比べ、セキュリティを向上することができる。【選択図】図７
2007199617.tif 000002
【特許請求の範囲】
【請求項１】
所定データを生成する情報生成装置と、その生成された所定データを取得して表示可能な情報表示装置と、を備えた文書表示システムであって、
前記情報生成装置は、前記所定データに機密度を付与する付与手段を備え、
前記情報表示装置は、自装置の使用状態を検出する検出手段と、前記機密度が付与された所定データを取得する取得手段と、その所定データに付与されている機密度と前記検出手段で検出された使用状態とに基づいて、当該所定データの表示状態を設定する３種類以上の表示モードから特定の表示モードを選択する選択手段と、その選択された表示モードに基づいて前記取得手段で取得された所定データを表示する表示手段と、を備えることを特徴とする文書表示システム。
【請求項２】
前記付与手段は、前記所定データの表示画像の各領域それぞれに機密度を付与し、
前記選択手段は、前記取得手段で取得された所定データに付与されている各領域の機密度と前記検出手段で検出された使用状態とに基づいて、当該所定データの表示状態を設定する３種類以上の表示モードから特定の表示モードを領域毎に選択することを特徴とする請求項１に記載の文書表示システム。
【請求項３】
前記情報生成装置は、前記付与手段で前記所定データの表示画像の各領域に付与された機密度とそれら各領域の情報とを含むセキュリティレイヤとを生成し、
前記選択手段は、前記セキュリティレイヤに含まれている各領域の機密度と前記検出手段で検出された使用状態とに基づいて、当該所定データの表示状態を設定する３種類以上の表示モードから特定の表示モードを領域毎に選択することを特徴とする請求項２に記載の文書表示システム。
【請求項４】
前記表示モードとして、前記所定データをモザイク状に表示するモード、前記所定データを一色で塗りつぶして表示するモード、及び前記所定データをそのまま表示するモードを含むこと特徴とする請求項１から３のいずれか１項に記載の文書表示システム。
【請求項５】
前記表示手段は、前記選択手段で選択された表示モードに基づいて、前記取得手段で取得された所定データの特定画素の画像データを取得するデータ取得手段と、その取得された画像データに基づいて前記所定データを表示する画像表示手段と、を備えたことを特徴とする請求項１から４のいずれか１項に記載の文書表示システム。
【請求項６】
前記表示手段は、暗号化された画像データを復号する際、圧縮された画像データを復号する際、又はテキストデータを画像データに展開する際に、前記所定データの画像を生成する画像データ生成手段と、その生成された画像データを前記選択手段で選択された表示モードに基づいて表示する画像データ表示段と、を備えることを特徴とする請求項１から４のいずれか１項に記載の文書表示システム。
【請求項７】
所定データを生成する情報生成装置と、その生成された所定データを取得して表示可能な情報表示装置と、を備えた文書表示システムにおける情報生成装置であって、
前記所定データの表示画像の各領域それぞれに機密度を付与する付与手段を備えたことを特徴とする情報生成装置。
【請求項８】
所定データを生成する情報生成装置と、その生成された所定データを取得して表示可能な情報表示装置と、を備えた文書表示システムにおける情報表示装置であって、
自装置の使用状態を検出する検出手段と、前記機密度が付与された所定データを取得する取得手段と、その所定データに付与されている機密度と前記検出手段で検出された使用状態とに基づいて、当該所定データの表示状態を設定する３種類以上の表示モードから特定の表示モードを選択する選択手段と、その選択された表示モードに基づいて前記取得手段で取得された所定データを表示する表示手段と、を備えることを特徴とする情報表示装置。
【請求項９】
所定データを生成する情報生成装置と、その生成された所定データを取得して表示可能な情報表示装置と、を備えた文書表示システムにおける情報表示装置であって、
前記所定データとしてタグ付きデータを取得する取得手段と、そのタグ付きデータに機密度を付与する付与手段と、そのタグ付きデータに付与されている機密度と使用状態とに基づいて、当該所定データの表示状態を設定する３種類以上の表示モードから特定の表示モードを選択する選択手段と、その選択された表示モードに基づいて前記取得手段で取得されたタグ付きデータを表示する表示手段と、を備えることを特徴とする情報表示装置。
【発明の詳細な説明】
【技術分野】
【０００１】
本発明は、所定データを生成する情報生成装置と、その所定データを取得して表示可能な情報表示装置とを備えた文書表示システム、情報生成装置及び情報表示装置に関する。
【背景技術】
【０００２】
従来、例えば、文字や画像等のオブジェクトが配された複数のレイヤを組み合わせることで、文書データを生成して表示する情報表示装置がある（例えば特許文献１参照）。
このような情報表示装置にあっては、一般に、情報表示装置を使用しているユーザにアクセス権がある場合には、文書データをそのまま表示し、アクセス権がない場合には、特定レイヤを組み合わせないことで、文書データの所定部位を隠すようになっている。
【特許文献１】特開２００４−２８９４５６号公報
【発明の開示】
【発明が解決しようとする課題】
【０００３】
しかしながら、上記従来の技術にあっては、ユーザにアクセス権がある場合には文書データをそのまま表示するようになっているため、アクセス権があれば、権限が低いユーザであってもデータ全体を閲覧でき、その結果、セキュリティの低下を招く恐れがあった。
本発明は、上記従来の技術の未解決の課題を解決することを目的とするものであって、よりセキュリティを向上することができる文書表示システム、情報生成装置及び情報表示装置を提供することを課題とする。
【課題を解決するための手段】
【０００４】
上記課題を解決するために、本発明の文書表示システムは、所定データを生成する情報生成装置と、その生成された所定データを取得して表示可能な情報表示装置と、を備えた文書表示システムであって、前記情報生成装置は、前記所定データに機密度を付与する付与手段を備え、前記情報表示装置は、自装置の使用状態を検出する検出手段と、前記機密度が付与された所定データを取得する取得手段と、その所定データに付与されている機密度と前記検出手段で検出された使用状態とに基づいて、当該所定データの表示状態を設定する選択手段と、を備えることを特徴とする。
【０００５】
また、前記付与手段は、前記所定データの表示画像の各領域それぞれに機密度を付与し、前記選択手段は、前記取得手段で取得された所定データに付与されている各領域の機密度と前記検出手段で検出された使用状態とに基づいて、当該所定データの表示状態を設定する３種類以上の表示モードから特定の表示モードを領域毎に選択してもよい。
さらに、前記情報生成装置は、前記付与手段で前記所定データの表示画像の各領域に付与された機密度とそれら各領域の情報とを含むセキュリティレイヤとを生成し、前記選択手段は、前記セキュリティレイヤに含まれている各領域の機密度と前記検出手段で検出された使用状態とに基づいて、当該所定データの表示状態を設定する３種類以上の表示モードから特定の表示モードを領域毎に選択してもよい。
【０００６】
また、前記表示モードとして、前記所定データをモザイク状に表示するモード、前記所定データを一色で塗りつぶして表示するモード、及び前記所定データをそのまま表示するモードを含むようにしてもよい。
さらに、前記表示手段は、前記選択手段で選択された表示モードに基づいて、前記取得手段で取得された所定データの特定画素の画像データを取得するデータ取得手段と、その取得された画像データに基づいて前記所定データを表示する画像表示手段と、を備えるようにしてもよい。
【０００７】
また、前記選択手段は、暗号化された画像データを復号する際、圧縮された画像データを復号する際、又はテキストデータを画像データに展開する際に、前記所定データの画像を生成する生成手段と、その画像データを表示する表示手段と、を備えるようにしてもよい。
さらに、本発明の情報性生成装置は、所定データを生成する情報生成装置と、その生成された所定データを取得して表示可能な情報表示装置と、を備えた文書表示システムにおける情報生成装置であって、前記所定データの表示画像の各領域それぞれに機密度を付与する付与手段を備えたことを特徴とする。
【０００８】
また、本発明の情報表示装置は、所定データを生成する情報生成装置と、その生成された所定データを取得して表示可能な情報表示装置と、を備えた文書表示システムにおける情報表示装置であって、自装置の使用状態を検出する検出手段と、前記機密度が付与された所定データを取得する取得手段と、その所定データに付与されている機密度と前記検出手段で検出された使用状態とに基づいて、当該所定データの表示状態を設定する３種類以上の表示モードから特定の表示モードを選択する選択手段と、その選択された表示モードに基づいて前記取得手段で取得された所定データを表示する表示手段と、を備えることを特徴とする。
【０００９】
さらに、所定データを生成する情報生成装置と、その生成された所定データを取得して表示可能な情報表示装置と、を備えた文書表示システムにおける情報表示装置であって、前記所定データとしてタグ付きデータを取得する取得手段と、そのタグ付きデータに機密度を付与する付与手段と、そのタグ付きデータに付与されている機密度と使用状態とに基づいて、当該所定データの表示状態を設定する３種類以上の表示モードから特定の表示モードを選択する選択手段と、その選択された表示モードに基づいて前記取得手段で取得されたタグ付きデータを表示する表示手段と、を備えることを特徴とする。
【００１０】
このような構成によれば、ユーザの権限の高低を検出し、権限が低い場合には、データの細部を隠して表示する表示モードを選択することで、例えば、ユーザにアクセス権がある場合にデータ全体を表示する方法に比べ、セキュリティを向上することができる。
【発明を実施するための最良の形態】
【００１１】
以下、本発明の文書表示システムを図面に基づいて詳細に説明する。
この文書表示システムは、表示対象となるコンテンツの印刷データ（文書データ）を生成して送信するパーソナルコンピュータ、及び前記送信された文書データを格納し、ユーザの操作により前記格納された文書データを表示する情報表示装置を含んで構成される。
なお、本実施形態では、文書データを情報表示装置に送信してストレージに格納させる動作をパーソナルコンピュータのプリンタドライバの機能を用いて行うため、前記文書データを送信等させる動作を「印刷」とも呼ぶこととする。
【００１２】
＜文書表示システムの構成＞
図１は、本発明を適用した文書表示システム１の外観を示す構成図である。また、図２は、その文書表示システム１を構成するパーソナルコンピュータ２の内部構成を示すブロック図であり、図３は、情報表示装置３の内部構成を示すブロック図である。
【００１３】
＜情報生成装置の構成＞
パーソナルコンピュータ２は、図２に示すように、入力機器１０、記憶装置２０、プログラムＲＯＭ／ＲＡＭ（Read Only Memory / Random Access Memory）３０、ＣＰＵ（Central Processing Unit）４０、表示駆動部５０、ディスプレイ６０及びインタフェース装置７０を含んで構成される。
入力機器１０は、キーボードやマウス等の入力装置によって構成され、ユーザが指示操作を行うと当該指示操作に応じた信号（指示信号）をＣＰＵ４０に出力する。
【００１４】
記憶装置２０は、不揮発性のメモリ（電源を切断しても保持データが維持されるメモリ）によって構成され、パーソナルコンピュータ２の各部を制御するための各種プログラム、及び複数のコンテンツのデータ（印刷対象データ）を格納する。
プログラムＲＯＭ／ＲＡＭ３０は、ＣＰＵ４０による各種処理の実行時に、ワークエリアを形成するとともに、当該処理の処理結果を格納する。
【００１５】
ＣＰＵ４０は、入力機器１０から出力される指示信号に従って、記憶装置２０に格納されているプログラムを読み出して各種処理を実行する。そして、ＣＰＵ４０は、記憶装置２０に格納されている印刷対象データに基づいて、図４に示すように、印刷対象データのメタデータ（ファイル名、タイトル、サムネイル数、文書方向）、ページ数分のページブロック情報（ＩＤ、ページ画像データへのオフセット、ページ画像のデータサイズ、セキュリティレイヤへのオフセット、セキュリティレイヤのデータサイズ）、ページ画像のデータ、セキュリティレイヤデータ（後述）、及びチェックサムを含めて文書データを生成し、その文書データをインタフェース装置７０を介して情報表示装置３に送信する。また、ＣＰＵ４０は、各種処理の処理結果をプログラムＲＯＭ／ＲＡＭ３０に格納する。
【００１６】
表示駆動部５０は、ＣＰＵ４０による各種処理の実行時に、当該処理の処理結果が表示されるようにディスプレイ６０を駆動する。
ディスプレイ６０は、表示駆動部５０で駆動されて各種情報を表示画面に表示する。
インタフェース装置７０は、情報表示装置３とＴＣＰ／ＩＰ等の通信プロトコルで接続され、所定のＩＤによって１対１のデータ通信を行い、ＣＰＵ４０で生成される文書データを情報表示装置３に送信する。
【００１７】
＜パーソナルコンピュータの機能部＞
また、図２において、一般アプリケーション１００、印刷制御部１１０、データ生成部１２０及びデータ転送部１３０は、プログラムＲＯＭ／ＲＡＭ３０及びＣＰＵ４０によって実現される機能部である。
一般アプリケーション１００は、ワープロソフト等のアプリケーションプログラムであり、ユーザによって印刷の指示操作が行われると、図５に示すように、その指示操作に対応する印刷対象データの印刷要求を印刷制御部１１０に出力する。
【００１８】
また、一般アプリケーション１００は、印刷設定（例えば、印刷データの転送先の設定）を行わせる印刷ダイアログの表示を要求する印刷設定要求が印刷制御部１１０から出力されると、図６に示すように、印刷ダイアログをディスプレイ６０に表示させる。
さらに、一般アプリケーション１００は、その印刷ダイアログで印刷設定が行われると、その印刷設定の結果及び印刷対象データの描画命令（印刷指示）をオペレーティングシステム経由で印刷制御部１１０に出力する。
【００１９】
描画命令としては、座標及びスタイル付きでテキスト描画を指示する命令、座標及びスタイル付きで線描画を指示する命令、プリンタと同じ解像度をもつ座標系においてドット単位でピクセルペイントを指示する命令等を挙げることができる。
印刷制御部１１０は、プリンタドライバであり、一般アプリケーション１００から印刷要求が出力されると印刷設定要求を一般アプリケーション１００に出力する。
【００２０】
また、印刷制御部１１０は、一般アプリケーション１００から印刷設定の結果及び印刷指示が出力されると、それら印刷設定の結果及び印刷指示（描画命令）に基づいて文書データを生成させる印刷データ生成要求をデータ生成部１２０に出力する。
さらに、印刷制御部１１０は、データ生成部１２０から印刷データが出力されると、その印刷データをデータ転送部１４０に出力する。
【００２１】
データ生成部１２０は、印刷制御部１１０から印刷データ生成要求（描画命令）が出力されると、描画命令（テキスト描画命令、画像描画命令、罫線命令）を蓄積して印刷対象データのページ画像のデータを生成する。また、データ生成部１２０は、その生成したページ画像に文字領域（文字が描画される領域）、画像領域（画像が描画される領域）及び罫線領域（罫線が描画される領域）を設定すると共に、文字領域に中程度のセキュリティレベルを設定し（例えば、５）、画像領域に高いセキュリティレベルを設定し（例えば、１０）、罫線領域に低いセキュリティレベルを設定して（例えば、０）、前記設定された各領域とそれら各領域に設定されたセキュリティレベルとを含むセキュリティレイヤデータを生成する。そして、データ生成部１２０は、前記ページ画像のデータとセキュリティレイヤデータとをパッケージ化し、チェックサムを付して文書データを生成し、その文書データを含むように印刷データを生成して印刷制御部１１０に出力する。
データ転送部１４０では、印刷制御部１１０から印刷データが出力されると、その印刷データをインタフェース装置７０に送信する。
【００２２】
＜情報表示装置の構成＞
一方、情報表示装置３は、図３に示すように、インタフェース装置２００、指紋検出装置２１０、ストレージ２２０、プログラムＲＯＭ／ＲＡＭ２３０、ＣＰＵ２４０、ＮＶＲＡＭ２５０、アクセラレータ回路２６０、表示駆動部２７０、メイン表示パネル２８０及び電源制御２９０を含んで構成される。
インタフェース装置２００は、パーソナルコンピュータ２と接続され、パーソナルコンピュータ２から送信される文書データをストレージ２２０に格納させる。その際、インタフェース装置２００は、セキュリティレイヤデータの有無とチェックサムとを確認する。
【００２３】
指紋検出装置２１０は、ユーザの指が押し当てられると当該指の指紋の特徴部を検出し、その検出結果を示す信号（指紋信号）をアクセラレータ回路２６０に出力する。
ストレージ２２０は、フラッシュメモリ等の不揮発性のメモリによって構成され、情報表示装置３から送信される文書データを格納する。
プログラムＲＯＭ／ＲＡＭ２３０は、不揮発性のメモリによって構成され、情報表示装置３の各部を制御するための各種プログラムを格納する。
【００２４】
ＣＰＵ２４０は、ユーザによって入力される指示信号に従って、プログラムＲＯＭ／ＲＡＭ２３０に格納されているプログラムを読み出して各種処理を実行する。そして、ＣＰＵ２４０は、ストレージ２２０に格納されている文書データをメイン表示パネル２８０に描画させる指令をアクセラレータ回路２６０に出力する。また、ＣＰＵ２４０は、各種処理の処理結果をＮＶＲＡＭ２５０に格納する。
【００２５】
ＮＶＲＡＭ２５０は、ＦＲＡＭ（Ferroelectric Random Access Memory）、ＭＲＡＭ（Magnetoresistive Random Access Memory）、ｎｖＳＲＡＭ（non-volatile Static Random Access Memory）等の不揮発性メモリで構成され、ＣＰＵ２４０による各種処理の実行時に、ワークエリアを形成するとともに、当該処理の処理結果（例えば、セキュリティレイヤデータ、アクセス権があるユーザの指紋信号とその指紋信号に対応するユーザの権限の高さ「０、５、１０」）を格納する。
【００２６】
アクセラレータ回路２６０は、ＣＰＵ２４０の命令に従って、メイン表示パネル２８０に描画する画像の描画処理（後述）を行う。そして、アクセラレータ回路２６０は、その描画処理の処理結果である描画データを表示駆動部２７０に出力する。
表示駆動部２７０は、メイン表示パネル２８０を制御し、アクセラレータ回路２６０から出力される描画データをメイン表示パネル２８０に描画する。具体的には、表示駆動部２７０は、アクセラレータ回路２６０から描画データが入力される画素書込部２７０ａを備える。そして、表示駆動部２７０は、画素書込部２７０ａに入力された描画データを参照して、メイン表示パネル２８０のＸドライバ及びＹドライバを駆動することにより、前記入力された描画データをメイン表示パネル２８０に描画する。
【００２７】
メイン表示パネル２８０は、Ａ４サイズの高画素密度の記憶性表示装置（電源を切断しても表示内容が維持される表示装置）で構成される。そして、メイン表示パネル２８０は、表示駆動部２７０の制御に応じて、所定画素に画素データを表示する。なお、メイン表示パネル２８０としては、例えば、電気泳動ディスプレイ、コレステリック液晶ディスプレイ、或いはエレクトロデポジションディスプレイ等を採用することができる。
電源制御２９０は、一次電池或いは二次電池によって構成される。そして、電源制御２９０は、情報表示装置３全体に各部を適切に動作させるための電力を供給する。
【００２８】
＜アクセラレータ回路の動作＞
次に、アクセラレータ回路２１０で実行される描画処理を図７のフローチャートに基づいて説明する。この描画処理は、ユーザによってページ画像の選択操作が行われると実行される処理であって、まず、そのステップＳ１で、描画対象画素をＹ方向（平面視下方向）に１画素分シフトする（描画対象画素のＹ座標に１を加算する）。なお、初期状態にあっては、描画対象画素のＹ座標は０に設定されている。
【００２９】
次にステップＳ２に移行して、描画対象画素をＸ軸方向（平面視右方向）に１画素分シフトする（描画対象画素のＸ座標に１を加算する）。なお、初期状態にあっては、描画対象画素のＸ座標は０に設定されている。
次にステップＳ３に移行して、前記ステップＳ１及びＳ２で設定された描画対象画素を含む領域に設定されているセキュリティレベルをストレージ２２０から読み出す。
【００３０】
次にステップＳ４に移行して、まず、指紋検出装置２１０から出力される指紋信号に対応するユーザの権限の高さをプログラムＮＶＲＡＭ２５０から読み出す。
次に、その読み出した権限の高さ（数値）を前記ステップＳ３で読み出されたセキュリティレベルから減算する。そして、その減算結果が０より小さい場合には（＜０）ステップＳ５に移行し、０以上５以下である場合には（０以上５以下）ステップＳ６に移行し、５より大きい場合には（＞５）ステップＳ７に移行する。
【００３１】
前記ステップＳ５では、スキップ数を１に設定し、ページ画像をそのまま表示するモードとし、ステップＳ８に移行する。
前記ステップＳ６では、スキップ数を１０に設定し、同じ色を１０画素連続して表示し、ページ画像をモザイク状に表示するモードとし、前記ステップＳ８に移行する。
前記ステップＳ７では、スキップ数を−１に設定し、黒一色で塗りつぶすモードとし、前記ステップＳ８に移行する。
【００３２】
前記ステップＳ８では、前記ステップＳ１及びＳ２で設定された描画対象画素のＸ座標が、前記ステップＳ５〜Ｓ７で設定されたスキップ数で割り切れるか否かを判定する。そして、割り切れる場合には前記ユーザによって選択されたページ画像における前記描画対象画素の描画データを画素書込部２７０ａに出力し、割り切れない場合には前回このステップで出力した描画データを前記描画対象画素の描画データとして画素書込部２７０ａに出力する。なお、スキップ数が負値である場合、及び黒色の描画データを出力する。また、初期状態にあっては、前回出力した描画データとして、黒色の描画データを用いる。
【００３３】
すなわち、スキップ数が１である領域はページ画像がそのまま表示され、スキップ数が１０である領域は各画素で同じ色が１０画素連続して表示されて、ページ画像がモザイク状に表示され、スキップ数が−１である領域は黒一色で塗りつぶして表示される。
次にステップＳ９に移行して、前記ステップＳ１及びＳ２で設定された描画対象画素のＸ座標が、前記ユーザによって選択されたページ画像のＸ方向端の座標値であるか否かを判定する。そして、Ｘ方向端の座標値である場合には（Ｙｅｓ）ステップＳ１０に移行し、Ｘ方向端の座標値でない場合には（Ｎｏ）前記ステップＳ２に移行する。
【００３４】
次にステップＳ１０に移行して、前記ステップＳ１及びＳ２で設定された描画対象画素のＹ座標が、前記ユーザによって選択されたページ画像のＹ方向端の座標値であるか否かを判定する。そして、Ｙ方向端の座標値である場合には（Ｙｅｓ）この演算処理を終了し、Ｙ方向端の座標値でない場合には（Ｎｏ）前記ステップＳ１に移行する。
【００３５】
＜情報表示装置の具体的動作＞
次に、本実施形態の情報表示装置の動作を具体的状況に基づいて詳細に説明する。
まず、パーソナルコンピュータ２の入力装置１０を操作し、ユーザが印刷の指示操作を行ったとする。すると、一般アプリケーション１００によって、図５に示すように、その指示操作に対応する印刷対象データ（図８）の印刷要求が出力され、印刷制御部１１０によって、印刷設定要求が一般アプリケーション１００に出力される。
また、一般アプリケーション１００によって、図６に示すように、ディスプレイ６０が駆動され、印刷設定を行わせる印刷ダイアログがディスプレイ６０に表示される。
【００３６】
ここで、ユーザが印刷ダイアログで印刷設定を行ったとする。すると、一般アプリケーション１００によって、その印刷設定の結果及び印刷対象データの描画命令（印刷指示）がオペレーティングシステム経由で印刷制御部１１０に出力され、印刷制御部１１０によって、それら印刷設定の結果及び印刷指示（描画命令）に基づいて文書データを生成させる印刷データ生成要求が出力され、データ生成部１２０に出力される。
【００３７】
また、データ生成部１２０によって、図８及び９に示すように、印刷データ生成要求（テキスト描画命令、画像描画命令、罫線命令）が蓄積されて印刷対象データのページ画像のデータが生成される。また、データ生成部１２０によって、その生成されたページ画像に文字領域、画像領域及び罫線領域が設定されると共に、文字領域にセキュリティレベル（５）が設定され、画像領域にセキュリティレベル（１０）が設定され、罫線領域にセキュリティレベル（０）が設定され、図１０及び１１に示すように、前記設定された各領域とそれら各領域に設定されたセキュリティレベルとを含むセキュリティレイヤデータが生成される。そして、データ生成部１２０によって、前記ページ画像のデータとセキュリティレイヤデータとがパッケージ化され、チェックサムを付して文書データが生成され、その文書データを含むように印刷データが生成されて印刷制御部１１０に出力される。
【００３８】
さらに、印刷制御部１１０によって、その印刷データが転送され、データ転送部１４０によって、その転送された印刷データがインタフェース装置７０に出力される。
そして、インタフェース装置７０によって、その出力された印刷データ（文書データ）が情報表示装置３のインタフェース装置２００に送信され、インタフェース装置２００によって、その送信された文書データがストレージ２２０に格納される。
【００３９】
また、情報表示装置３を操作し、ユーザがページ画像の選択操作を行ったとする。すると、アクセラレータ回路２１０で描画処理が実行され、図７に示すように、まず、そのステップＳ１で、描画対象画素のＹ座標が１とされ、ステップＳ２で、描画対象画素のＸ座標が１とされ、ステップＳ３で、Ｘ、Ｙ座標（１、１）が設定された描画対象画素を含む領域に設定されているセキュリティレベルがストレージ２２０から読み出される。
【００４０】
さらに、ユーザの権限の高さが５であり、また、図１０に示すように、前記選択されたページ画像の座標（１、１）を含む領域のセキュリティレベルが１０であったとする。すると、ステップＳ４で、まず、指紋検出装置２１０から出力される指紋信号に対応するユーザの権限の高さ５がプログラムＮＶＲＡＭ２５０から読み出される。次に、その権限の高さ５が前記読み出されたセキュリティレベル１０から減算され、その減算結果５によって判定が「０以上５以下」となり、ステップＳ６で、スキップ数が１０に設定される。
【００４１】
また、ステップＳ８で、黒色の描画データが描画対象画素（Ｘ、Ｙ座標（１、１）の画素）の描画データとして画素書込部２７０ａに出力される。また、描画対象画素のＸ座標が１であるため、ステップＳ９の判定が「Ｎｏ」となり、上記フローが前記ステップＳ２から（描画対象画素がＸ方向に１画素分シフトして）繰り返し実行される。
上記フローが繰り返し実行され、描画対象画素のＸ座標がページ画像のＸ方向端の座標値になると、前記ステップＳ１０の判定が「Ｙｅｓ」となり、また、ステップＳ１１の判定が「Ｎｏ」となり、上記フローが前記ステップＳ１から（描画対象画素がＹ方向に１画素分シフトして）繰り返し実行され、画素書込部２７０ａによって、文字はモザイク状に表示され、画像は黒一色で塗りつぶして表示され、罫線はそのまま表示される。
【００４２】
このように、本実施形態の文書表示システム１にあっては、ユーザの権限の高低を検出し、権限が低い場合には、表示対象であるページ画像データの細部を隠して表示する表示モードを選択するようにしたため、例えば、ユーザにアクセス権がある場合に常にページ画像データ全体を表示する方法に比べ、セキュリティを向上することができる。
また、ページ画像データの読み込みをアクセラレータ回路２６０によってスキップすることで、モザイク状に表示するようにしたため、処理の単純さを保つことができる。
【００４３】
以上、上記実施形態では、図１及び図２のパーソナルコンピュータ２が特許請求の範囲の請求項１に記載の情報生成装置を構成し、以下同様に、図２のプログラムＲＯＭ／ＲＡＭ３０、ＣＰＵ４０及びデータ生成部１２０が付与手段を構成し、図３の指紋検出装置２１０が検出手段を構成し、図３のインタフェース装置２００が取得手段を構成し、図３のアクセラレータ回路２６０が選択手段を構成し、図３のアクセラレータ回路２６０、表示駆動部２７０、画素書込部２７０ａ及びメイン表示パネル２８０が表示手段を構成し、図３のアクセラレータ回路２６０、図７のステップＳ４〜Ｓ８が画像データ取得手段を構成し、図３のアクセラレータ回路２６０、表示駆動部２７０、画素書込部２７０ａ及びメイン表示パネル２８０が画像表示手段を構成する。
【００４４】
なお、本発明の文書表示システム、情報生成装置及び情報表示装置は、上記実施の形態に限定されるものではなく、本発明の趣旨を逸脱しない範囲で適宜変更可能である。
上記実施形態にあっては、ユーザの権限の高さに応じて表示モードを選択する例を示したが、これに限られるものではない。例えば、複写や読書等のユーザの利用シーンに応じて選択してもよいし、社外や社内といった利用場所に応じて選択してもよい。そのようにすれば、表示内容を機密とすることが困難な環境下において機密度の高いデータの細部を隠して表示することができ、よりセキュリティを向上することができる。  
【００４５】
また、ページ画像のデータをパーソナルコンピュータ２で生成する例を示したが、これに限られるものではない。例えば、情報表示装置３によって、暗号化された画像データを復号する際、圧縮された画像データを復号する際、又はテキストデータを画像データに展開する際に、ページ画像のデータを生成し、その生成されたページ画像のデータを、選択された表示モードに基づいて表示するようにしてもよい。
【００４６】
また、パーソナルコンピュータ２の機能として、データ生成部１２０では領域に機密度を設定する例を示したが、これに限られるものではない。例えば、文字領域を高いセキュリティレベルにし、画像領域を最低のセキュリティレベルにしてもよい。印刷設定においてこの機密度とエリアの設定をユーザーが操作できるようにしてもよい。
【図面の簡単な説明】
【００４７】
【図１】本発明の文書表示システムの一実施形態を示す構成図である。
【図２】図１のパーソナルコンピュータの内部構成を示すブロック図である。
【図３】図１の情報表示装置の内部構成を示すブロック図である。
【図４】文書データを説明するための説明図である。
【図５】パーソナルコンピュータの機能構成を説明するための説明図である。
【図６】印刷ダイアログを説明するための説明図である。
【図７】描画処理を示すフローチャートである。
【図８】印刷対象データを説明するための説明図である。
【図９】描画命令を説明するための説明図である。
【図１０】セキュリティレイヤデータを説明するための説明図である。
【図１１】セキュリティレイヤデータを説明するための説明図である。
【符号の説明】
【００４８】
１は文書表示システム、２はパーソナルコンピュータ、３は情報表示装置、１０は入力装置、２０は指紋検出装置、３０はプログラムＲＡＭ／ＲＯＭ、４０はＣＰＵ、５０は表示駆動部、６０はディスプレイ、７０はインタフェース装置、１００は一般アプリケーション、１１０は印刷制御部、１２０はデータ生成部、１３０はデータ転送部、２００はインタフェース装置、２１０は指紋検出装置、２２０はストレージ、２３０はプログラムＲＯＭ／ＲＡＭ、２４０はＣＰＵ、２５０はＮＶＲＡＭ、２６０はアクセラレータ回路、２７０は表示駆動部、２７０ａは画素書込部、２８０はメイン表示パネル、２９０は電源制御
【図１】
2007199617.tif 000003
【図２】
2007199617.tif 000004
【図３】
2007199617.tif 000005
【図４】
2007199617.tif 000006
【図５】
2007199617.tif 000007
【図６】
2007199617.tif 000008
【図７】
2007199617.tif 000009
【図８】
2007199617.tif 000010
【図９】
2007199617.tif 000011
【図１０】
2007199617.tif 000012
【図１１】
2007199617.tif 000013